(57)【特許請求の範囲】
【請求項１】
エレベータ乗場の乗降口に設置され、利用者に提供する各種情報を表示する表示灯を備えた乗場表示灯装置において、
保守点検作業時にその作業が行われている旨を表示する表示灯を有し、各階のエレベータ乗場に設置された乗場表示灯装置と、
エレベータの制御盤が備える予備電源と、
前記予備電源から各階にある乗場表示灯装置の前記表示灯に給電する予備配線と、
前記乗場表示灯装置のうち、機械室のある最上階に設置された乗場表示灯装置に設けられ、前記予備電源から全ての乗場表示灯装置の前記表示灯への給電をＯＮ／ＯＦＦするスイッチ手段と、を備えたことを特徴とするエレベータの乗場表示灯装置。
【請求項２】
前記乗場表示灯装置は、乗りかごの位置を表示するとともに、保守点検時にはその作業が行われている旨を表示可能な表示灯と、かご呼びのための押ボタンと、を備えたホール操作盤であることを特徴とする請求項１に記載のエレベータの乗場表示灯装置。
【請求項３】
前記スイッチ手段は、各階の乗場表示灯装置のうち最上階にある乗場表示灯装置に設けられていることを特徴とする請求項１または２に記載のエレベータの乗場表示灯装置。
【発明の詳細な説明】
【技術分野】
【０００１】
本発明の実施形態は、エレベータの乗場表示灯装置に関する。
【背景技術】
【０００２】
エレベータの乗場には、利用者が乗りかごを呼ぶときに操作する押ボタン装置の他、乗りかごの位置を表示するインジケータや、乗りかごの到着や運転方向を表示ホールランタンなどの表示機器が設置されている。エレベータの利用者は、インジケータやホールランタンからエレベータの運転状況を知ることができる。  
エレベータによっては、押ボタンとともにインジケータが乗場操作盤(ホール操作盤)に配置されていることがある(例えば、特許文献１参照)。
【０００３】
また、インジケータなどの表示手段は、乗りかごの位置や方向を表示する以外のことにも利用されている。特許文献１では、他の階に着床した乗りかごのドア開閉状況を表示することが開示されている。
【０００４】
ところで、エレベータの保守点検時には、保守点検作業のためにエレベータが利用できないことを利用者に知らせる点検札を乗場に掲げることが行われている。また、インジケータなどの表示手段に点検中であることを表示することも行われている。点検札の場合は、各階の乗場に点検札を配置する作業が必要となるが、インジケータの場合には、一度に全ての乗場で点検中であることを知らせるための表示をすることができる。
【先行技術文献】
【特許文献】
【０００５】
【特許文献１】特開２００３−０３４４７２号公報
【発明の開示】
【発明が解決しようとする課題】
【０００６】
インジケータなどの表示手段に点検中であることを知らせる表示をする場合には、制御盤に電源が入っていることが必要である。  
エレベータの保守点検作業では、乗りかごを動かしながら各所を点検する作業中は制御盤に電源が入っているが、制御盤そのものを点検する時には、制御盤の電源をオフにすることがある。
【０００７】
ところが、制御盤の電源がオフにされると、それまでインジケータ等の表示手段に表示されていた「点検中」等の表示も消えて、表示されなくなってしまうことになる。  
その場合、点検札がなければ、乗場にいる利用者には、点検中であることを知らせることができなくなってしまうという問題がある。
【０００８】
そこで、本発明は、前記従来技術の有する問題点に鑑みなされたものであって、エレベータの保守点検作業中に、制御盤の電源をオフにしても、それまで表示されていた「点検中」等の表示が消えずに維持されるようにしたエレベータの乗場表示灯装置を提供することを目的としている。
【課題を解決するための手段】
【０００９】
前記の目的を達成するために、本発明の実施形態によるエレベータの乗場表示灯装置は、エレベータ乗場の乗降口に設置され、利用者に提供する各種情報を表示する表示灯を備えた乗場表示灯装置において、保守点検作業時にその作業が行われている旨を表示する表示灯を有し、各階のエレベータ乗場に設置された乗場表示灯装置と、エレベータの制御盤が備える予備電源と、前記予備電源から各階にある乗場表示灯装置の前記表示灯に給電する予備配線と、前記乗場表示灯装置のうち、機械室のある最上階に設置された乗場表示灯装置に設けられ、前記予備電源から全ての乗場表示灯装置の前記表示灯への給電をＯＮ／ＯＦＦするスイッチ手段と、を備えたことを特徴とするものである。
【図面の簡単な説明】
【００１０】
【図１】本発明の一実施形態によるエレベータの乗場表示灯装置の概要を示すブロック図である。
【図２】本発明の一実施形態によるエレベータの乗場表示灯装置の通常運転時での表示を示す平面図である。
【図３】本発明の一実施形態によるエレベータの乗場表示灯装置の保守点検時の表示を示す平面図である。
【図４】本発明の一実施形態によるエレベータ乗場表示灯装置の動作を示すフローチャートである。
【発明を実施するための最良の形態】
【００１１】
以下、本発明によるエレベータの乗場表示灯装置の一実施形態について、添付の図面を参照しながら説明する。  
図１は、本実施形態によるエレベータの乗場表示灯装置の概要を示すブロック図である。図２は、乗場表示灯装置の表示部、押ボタン等の配置を示す平面図である。この実施形態は、本発明をエレベータの乗場に設置されるかご位置表示灯付きのホール操作盤（ＨＩＢ）に適用した実施の形態である。
【００１２】
このホール操作盤２０のフェースプレート２１の表面には、表示手段としてのかご位置表示灯２４とかご呼のための押ボタン２５、２６が配置されている。図２に示されるように、かご位置表示灯２４は、エレベータの運転時には、乗りかごの位置を数字で示すとともに、運行方向を矢印で表示するようになっている。
【００１３】
また、かご位置表示灯２４は、エレベータの保守点検作業中には、図３に示されるように、利用者に点検作業が行われていることを知らせるために、例えば、「点検中」と表示されるようになっている。
【００１４】
このようなかご位置表示灯２４を備えたホール操作盤２０は、図１に示されるように、各階のエレベータ乗場に設置されている。図１では、各階のホール操作盤２０を互いに区別するために、参照番号に英小文字の添え字を付している。このうち、ホール操作盤２０ａは、機械室のある最上階に設置されているホール操作盤である。ホール操作盤２０ｂはその下の階、ホール操作盤２０ｃ、…はさらに下の階に設置されている。
【００１５】
エレベータの機械室には、制御盤１０が設置されている。この制御盤１０は、通常、商用電源１１から電源回路１２を介して電力が供給される。各ホール操作盤２０は、ケーブル１５によって制御盤１０と接続され、信号の伝送と電力の供給がなされるようになっている。
【００１６】
また、制御盤１０には、不時の停電に備える予備の電源としてバッテリ１４が設けられている。このバッテリ１４は、制御盤１０の予備電源であるとともに、予備配線１６を介して各階のホール操作盤２０ａ、２０ｂ、２０ｃ、…と接続され、各かご位置表示灯２４ａ、２４ｂ、２４ｃ、…に動作に必要な電力を供給できるようになっている。
【００１７】
本実施形態では、最上階の乗場にあるホール操作盤２０ａの内部には、バッテリ１４から給電する予備配線１６を開閉する点検中表示スイッチ（スイッチ手段）２２が配置されている。
【００１８】
この点検中表示スイッチ２２は、エレベータの保守点検作業を行っている時に、制御盤１１の電源をオフにした場合でも、各かご位置表示灯２４ａ、２４ｂ、２４、…にバッテリ１４から電力が供給されるようにするスイッチである。
【００１９】
次に、本実施形態によるエレベータの乗場表示灯装置の保守点検作業中の動作について、図４のフローチャートを参照しながら説明する。  
まず、エレベータの保守点検作業を開始すると（ステップＳ１０）、乗客にエレベータの保守点検作業を行っていることを知らせる必要がある。  
そこで、保守点検作業開始に際してエレベータが運転モードから点検モードに切り替わると、制御盤１０から各階のホール操作盤２０ａ、２０ｂ、２０ｃ、…に指令が送られ、すべてのかご位置表示灯２４ａ、２４ｂ、２４ｃ、…では、通常運転時のかご位置の表示から、例えば、「点検中」といった文字表示に切り替わる（ステップＳ１１）。このようにして、保守点検作業時には、全ての階にあるホール操作盤２０ａ、２０ｂ、２０ｃ、…では、かご位置表示灯２４ａ、２４ｂ、２４ｃ、…に「点検中」と表示される。
【００２０】
これと並行して、最上階にあるホール操作盤２０ａでは、点検中表示スイッチ２２をオンにしておく（ステップＳ１２）。
【００２１】
エレベータの保守点検では、乗りかごを動かしながらの昇降路各所の点検作業中のように、制御盤１０に電源が入っている状態で行われる点検作業と、制御盤１０そのものを点検する場合のように、制御盤１０の電源をオフにした状態で行われる点検作業と、がある。
【００２２】
制御盤１０に電源が入っている場合には、当然のことながら電源がオンしている制御盤１０からホール操作盤２０ａ、２０ｂ、２０ｃ、…に電力が供給されるので、かご位置表示灯２４ａ、２４ｂ、２４ｃ、…には、「点検中」の表示が点灯したままの状態が維持される。
【００２３】
他方、制御盤１０の電源がオフにされた場合であっても、点検中表示スイッチ２２がオンになっており、制御盤１０の予備電源であるバッテリ１４から動作に必要な電力がかご位置表示灯２４ａ、２４ｂ、２４ｃ、…に供給されるので、「点検中」の表示は維持されることになる（ステップＳ１３）。
【００２４】
以上のようにして最上階のホール操作盤２０ａに簡単な予備配線１６と点検中表示スイッチ２２を追加するだけで、エレベータの点検作業中の間は、たとえ制御盤１１の電源がオフにされても、かご位置表示灯２４ａ、２４ｂ、２４ｃ、…では、「点検中」の表示を消えることがないようにすることができる。このため、乗場にいる利用者には、ホール操作盤２０を操作しようとすると、「点検中」の表示の点いたかご位置表示灯２４が必ず視野に入るので、点検作業の間、確実に点検中であることを知らせることができる。また、点検員にとっても、各階の乗場に点検札を掲示する作業が不要になる利点がある。
【００２５】
その後、エレベータの保守点検作業が終了すると（ステップＳ１４）、点検中表示スイッチ２２がオフにされる（ステップＳ１５）。
【００２６】
以上、本発明に係るエレベータの乗場表示灯装置について、本発明をかご位置表示灯付き操作盤に適用した好適な実施形態を挙げて説明したが、本発明は、かご位置表示灯付き操作盤に限らず、乗場に設置される表示装置に適用可能である。
【００２７】
また、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００２８】
１０…制御盤、１１…商用電源、１４…バッテリ、１６…予備配線、２０…ホール操作盤、２１…フェースプレート、２２…点検中表示スイッチ、２４…かご位置表示灯、２５…押ボタン、２６…押ボタン
【要約】
【課題】エレベータの保守点検作業中に、制御盤の電源をオフにしても、表示灯にそれまで表示されていた「点検中」等の表示が消えずに維持されるようにする。
【解決手段】実施形態による乗場表示灯装置は、エレベータ乗場の乗降口に設置され、利用者に提供する各種情報を表示する表示灯を備えた乗場表示灯装置である。この乗場表示灯装置は、  エレベータの制御盤が備える予備電源１４から各階の乗場表示灯装置２０の表示灯２４に給電する予備配線１６と、保守点検作業時にその作業が行われている旨を表示している前記各表示灯２０に、予備電源からの給電をＯＮ／ＯＦＦするスイッチ手段２２と、を備えている。
【選択図】図１【図１】
0005948454.tif 000002
【図２】
0005948454.tif 000003
【図３】
0005948454.tif 000004
【図４】
0005948454.tif 000005